(57)【特許請求の範囲】
【請求項１】
前後方向前側の前身頃及び前後方向後側の後身頃を有し、
液透過性表面シート、液不透過性裏面側シート、並びにこれら表面シート及び裏面側シートの間に介在された吸収体を有する内装体と、この内装体の外面に固定され、かつ当該内装体の前方及び後方まで延在する外装体とが、前記前身頃から前記後身頃にかけて備えられ、
前記前身頃及び前記後身頃の内面それぞれに、前後方向中央側に開口し、吸収体を有する補助パッドの前後端部が差し込まれるポケットが備えられた使い捨ておむつであって、
前記ポケットは、前記前身頃及び前記後身頃の少なくとも一方において、開口位置が前後方向に離間するように複数備えられ、
この複数のポケットは、それぞれの開口幅が、前後方向中央から離れるに従って順に広くなる構成とされ、
前記内装体の前方及び後方の少なくともいずれか一方に位置するポケットにおいては、当該ポケットを構成するシートの外面側に吸収補助体が備えられており、
前記ポケットを構成するシートの前後方向中央側端部にポケット弾性部材が幅方向に沿って伸張状態で固定され、かつ、前記外装体に外装弾性部材が幅方向に沿って伸張状態で固定されつつも、
前記外装弾性部材は、前記吸収補助体と重なる位置において不連続とされている、
ことを特徴とする使い捨ておむつ。
【請求項２】
前記外装体を構成する外装シートの端部が折り返され、この折り返し部の一部が外面側において固定されないこと、並びに前記外装体の内面に漏れ防止シートが備えられ、この漏れ防止シートの一部が外面側において固定されないことの少なくともいずれか一方によって、前記ポケットが形成されている、
請求項１記載の使い捨ておむつ。
【請求項３】
前記前身頃及び前記後身頃の内面には、前後方向中央側から前記ポケット内へ体液を誘導する誘導加工が施されている、
請求項２記載の使い捨ておむつ。
【発明の詳細な説明】
【技術分野】
【０００１】
本発明は、パンツ型おむつ等の使い捨ておむつに関するものである。特に、尿採りパッド等の補助パッドを積層して使用することもできる使い捨ておむつに関するものである。
【背景技術】
【０００２】
従来、使い捨ておむつ、特にパンツ型おむつは、そのまま単体で装着するのが一般的であったが、現在では、パンツ型おむつに尿採りパッド等の補助パッドを積層して装着することも多い。
しかしながら、パンツ型おむつに補助パッドを積層して装着すると、装着者（おむつを装着している者）の動き等に伴って補助パッドがズレ、このズレを原因として体液の漏れが生じることがある。また、特にパンツ型おむつは、装着感を向上させるために、吸収体を前後方向に長く配置しない場合があり、この場合の吸収体（以下、単に「基本吸収体」ともいう。）は、夜用などとして用いられる補助パッドに備わる吸収体（以下、単に「補助吸収体」ともいう。）よりも短くなる傾向にある。しかるに、基本吸収体よりも補助吸収体の方が長いと、この補助吸収体を伝わって体液が基本吸収体の前方や後方にまで広がる。そして、この広がりは当該おむつが通常は想定していない広がりであり、この広がりを原因として体液の前後漏れが生じるおそれがある。
そこで、まず、前者のズレの問題に関しては、本出願人が特許文献１において提案している「第１係合部を有する裏面シートを備えた吸収パッドと、第２係合部を有する吸収パッド保持体とからなり、前記第１係合部と前記第２係合部とを係合させることによって、前記吸収パッドを前記吸収パッド保持体に取り付けてなる」との技術的思想を適用して解決することが考えられる。
【０００３】
また、後者の前後漏れの問題に関しては、特許文献２や特許文献３において提案されている技術的思想を適用して解決することが考えられる。特許文献２は、「外装シート３（１，２）の肌面側の後背部に、吸収体４と立ち上がり帯材５の後部分を覆うように親水性の漏れ防止用シート６を立ち上がり可能に接合することにより、この漏れ防止用シート６と立ち上がり帯材５とで囲まれた部分にポケット１２を形成する」とするものである。また、特許文献３は、「腹側部Ａ及び／又は背側部Ｂにおける着用者の胴回りに位置する胴回り部Ｅに、立体ガード７が形成されており、該立体ガード７は、複数本の立体ガード弾性部材７１，７１が配されて、胴回り方向に伸縮可能になされている」とするものである。なお、以上の説明で用いた符号は、該当文献における符号をそのまま用いたものであり、後述する本願発明の符号とは関係がない。
これら特許文献２及び特許文献３に提案された技術的思想は、補助パッドを積層して装着する場合を想定するものではないが、特許文献２は背漏れが防止されるとしており、また、特許文献３はウエスト開口部からの漏れが防止されるとしている。そこで、補助パッドを積層する場合においても前後漏れを防止することができるのではないかと考えるのである。
【０００４】
しかしながら、より詳細に検討すると、特許文献１〜３によっては、上記問題を解決することができない。
すなわち、まず、補助パッド（補助吸収体）が長いと、この補助パッドによって特許文献２が提案するポケット１２や特許文献３が提案する立体ガード７（以下、これらポケット１２及び立体ガード７を合わせて、単に「ポケット」ともいう。）が覆われてしまうため、当該ポケットが機能しなくなり、前後漏れの問題を解決することができなくなる。この点に関しては、当該ポケットをできる限り、ウエスト開口部側に設けることにより、解決することも考えられるが、このような解決によると、補助パッドが長いものではない場合に、補助パッドの前後端部とポケットとが離間し、この離間部において体液が幅方向に広がって（拡散して）しまうため、この広がりを原因として体液の漏れが生じるおそれがある。しかも、この場合に特許文献１が提案する第２の係合部を適用して補助パッドのズレを防止しようとすると、当該離間部において第２の係合部が露出してしまう。そこで、当該離間部には第２の係合部を設けないものとすることも考えられるが、このような対応では、補助パッドが長い場合において、当該補助パッドの前後端部のズレを防止することができなくなり、ズレを原因とする漏れの問題が生じるおそれがある。また、そもそも第２の係合部を備える形態は、補助パッドを積層しない場合に不都合である。
【０００５】
以上のように、従来の形態によると、補助パッドが積層されるか否に関わらず、また、積層される補助パッドが長いものであるか否かに関わらず、体液の漏れを確実に防止することができる使い捨ておむつとはならないのである。
【先行技術文献】
【特許文献】
【０００６】
【特許文献１】特開２００４‐２６１３３２号公報
【特許文献２】特開２００１‐３７８０９号公報
【特許文献３】特開２００１‐２５２３０３号公報
【発明の概要】
【発明が解決しようとする課題】
【０００７】
本発明が解決しようとする主たる課題は、補助パッドが積層されるか否か、補助パッドが長いものであるか短いものであるか等に関わらず、体液の漏れを確実に防止することができる使い捨ておむつを提供することにある。
【課題を解決するための手段】
【０００８】
この課題を解決した本発明は次の通りである。
〔請求項１記載の発明〕
前後方向前側の前身頃及び前後方向後側の後身頃を有し、
液透過性表面シート、液不透過性裏面側シート、並びにこれら表面シート及び裏面側シートの間に介在された吸収体を有する内装体と、この内装体の外面に固定され、かつ当該内装体の前方及び後方まで延在する外装体とが、前記前身頃から前記後身頃にかけて備えられ、
前記前身頃及び前記後身頃の内面それぞれに、前後方向中央側に開口し、吸収体を有する補助パッドの前後端部が差し込まれるポケットが備えられた使い捨ておむつであって、
前記ポケットは、前記前身頃及び前記後身頃の少なくとも一方において、開口位置が前後方向に離間するように複数備えられ、
この複数のポケットは、それぞれの開口幅が、前後方向中央から離れるに従って順に広くなる構成とされ、
前記内装体の前方及び後方の少なくともいずれか一方に位置するポケットにおいては、当該ポケットを構成するシートの外面側に吸収補助体が備えられており、
前記ポケットを構成するシートの前後方向中央側端部にポケット弾性部材が幅方向に沿って伸張状態で固定され、かつ、前記外装体に外装弾性部材が幅方向に沿って伸張状態で固定されつつも、
前記外装弾性部材は、前記吸収補助体と重なる位置において不連続とされている、
ことを特徴とする使い捨ておむつ。
【０００９】
（作用効果）
前身頃及び後身頃の内面それぞれに、前後方向中央側に開口するポケットが備えられていると、この両ポケットに補助パッドの前後端部を差し込むことができ、補助パッドのズレを防止することができる。しかも、この場合、両ポケットが補助パッドを覆った状態になり、両ポケットが補助パッドに覆われた状態にはならないため、ポケットの漏れ防止機能は失われない。
また、ポケットが、前身頃及び後身頃の少なくとも一方において、開口位置が前後方向に離間するように複数備えられていると、この複数のポケットのいずれを選択するかによって、補助パッドの前端部を差し込むポケットと補助パッドの後端部を差し込むポケットとの離間距離が変わる。したがって、補助パッドが長いものであるか短いものであるかに関わらず、上記ズレ防止機能を発揮させることができる。しかも、この場合、補助パッドの前後端部と両ポケットとが離間した状態にならないため、離間部において体液が幅方向に広がる（拡散する）との問題も生じない。
さらに、補助パッドの幅は、通常、その長さが長くなると広くなり、その長さが短くなると狭くなる傾向にあるところ、複数のポケットそれぞれの開口幅が、前後方向中央から離れる（遠くなる）に従って順に広くなる構成とされていると、例えば、前後方向中央から離れた（遠い）ポケットには、通常の長い補助パッド、つまり幅が広い補助パッドを差し込むことができる。しかも、この構成によると、前後方向中央から離れていない（近い）ポケットの開口幅が必要以上に広くならないため、当該ポケットに通常の短い補助パッド、つまり幅が狭い補助パッドを差し込んだ場合においてもズレが防止される。
なお、長い補助パッドのなかにも幅が狭い補助パッドは存在し、この場合は、前後方向中央から離れた開口幅の広いポケットに当該幅が狭い補助パッドを差し込むことになる。しかしながら、前後方向中央から離れた部位においては、この種のおむつの構造上、おむつ内面と装着者との間の間隙が小さく（狭く）なるため、開口幅が広いことによるズレの問題は、相対的に小さなものとなる。
また、補助パッドを積層しない場合においては、前方及び後方へ拡散する体液が、前身頃及び後身頃の内面に備えられたポケット内に収容されるため、前後漏れ防止効果が向上する。
また、内装体の前方及び後方に位置するポケットにおいて、当該ポケットを構成するシートの外面側に吸収補助体が備えられていると、ポケット内に流れた（入り込んだ）体液は、当該吸収補助体によって吸収・保持されることになるため、ポケットを構成する外装シートや漏れ防止シート自体に吸収力がない、あるいは弱い場合であっても、ポケット内の体液が逆戻りするおそれがない。
なお、内装体上に位置するポケットにおいては、当該内装体に備わる吸収体によってポケット内に流れた体液が吸収・保持される。
ポケットを構成するシートの前後方向中央側端部にポケット弾性部材が幅方向に沿って伸張状態で固定されていると、このポケット弾性部材の収縮力によってポケットを構成するシートが前身頃や後身頃の内面から持ち上がり（立ち上がり）、漏れ防止効果が向上する。
一方、使い捨ておむつは、通常、フィット性向上等の観点から、外装体に外装弾性部材が幅方向に沿って伸張状態で固定されている。しかるに、ポケットを構成するシートの外面側に吸収補助体が配置されている場合においては、外装体に固定された外装弾性部材の収縮力とポケットを構成するシートに固定されたポケット弾性部材の収縮力とがつりあって、前記立ち上がり機能が抑制されてしまうおそれがある。しかしながら、外装体に固定された外装弾性部材が、吸収補助体と重なる位置において切断等によって不連続とされていると、収縮力のつりあいが解消され、立ち上がり機能が確実に発揮される。
【００１０】
〔請求項２記載の発明〕
前記外装体を構成する外装シートの端部が折り返され、この折り返し部の一部が外面側において固定されないこと、並びに前記外装体の内面に漏れ防止シートが備えられ、この漏れ防止シートの一部が外面側において固定されないことの少なくともいずれか一方によって、前記ポケットが形成されている、
請求項１記載の使い捨ておむつ。
【００１１】
（作用効果）
外装体を構成する外装シートの端部が折り返され、この折り返し部の一部が外面側において固定されないことによって、あるいは外装体の内面に漏れ防止シートが備えられ、この漏れ防止シートの一部が外面側において固定されないことによって、ポケットが形成されるおむつは、極めて製造容易であるため、ポケットを備えることによる製造コストの増加が抑えられる。
【００１２】
〔請求項３記載の発明〕
前記前身頃及び前記後身頃の内面には、前後方向中央側から前記ポケット内へ体液を誘導する誘導加工が施されている、
請求項２記載の使い捨ておむつ。
【００１３】
（作用効果）
前身頃及び後身頃の内面に、前後方向中央側からポケット内へ体液を誘導する、エンボス加工、親水加工等の誘導加工が施されていると、仮に基本吸収体や補助吸収体から前方又は後方に体液が流れた場合においても、当該体液は、基本吸収体や補助吸収体の前方又は後方に位置するポケットに誘導されるため、体液の漏れをより確実に防止することができる。
【００１４】
（削除）
【００１５】
（削除）
【発明の効果】
【００１６】
本発明によると、補助パッドが積層されるか否か、補助パッドが長いものであるか短いものであるか等に関わらず、体液の漏れを確実に防止することができる使い捨ておむつとなる。
【図面の簡単な説明】
【００１７】
【図１】展開状態のパンツ型おむつの平面図である（内面側）。
【図２】図１より弾性部材を省略した平面図である。
【図３】展開状態のパンツ型おむつの平面図である（外面側）。
【図４】図１のＣ‐Ｃ矢視図である。
【図５】図１のＡ‐Ａ矢視図である。
【図６】図１のＢ‐Ｂ矢視図である。
【図７】パンツ型おむつの装着状態の斜視図である。
【図８】図４のＤ部分の拡大図及び変形例である。（Ａ）Ｄ部分の拡大図、（Ｂ）ポケットＰＢを別体シートで形成する変形例、（Ｃ）ポケットＰＡ，ＰＢを別体シートで形成する変形例である。
【図９】図４のＥ部分の拡大図及び変形例である。（Ａ）Ｅ部分の拡大図、（Ｂ）ポケットＰＢを別体シートで形成する変形例、（Ｃ）ポケットＰＡ，ＰＢを別体シートで形成する変形例である。
【図１０】ポケットの別の形態を示す展開状態のパンツ型おむつの平面図である（内面側）。
【図１１】図１０より弾性部材を省略した平面図である。
【図１２】小型の補助パッドを積層したパンツ型おむつの平面図である（内面側）。
【図１３】大型の補助パッドを積層したパンツ型おむつの平面図である（内面側）。
【図１４】図１２のＦ‐Ｆ矢視図である。
【図１５】ポケットの数を増やした形態を示す展開状態のパンツ型おむつの平面図である（内面側）。
【図１６】図１５より弾性部材を省略した平面図である。
【図１７】図１５のポケットを外装シートで形成した場合（Ａ）、漏れ防止シートで形成した場合（Ｂ）の断面説明図である。
【図１８】吸収補助体の配置例である。
【図１９】誘導加工の説明図である。
【発明を実施するための形態】
【００１８】
以下、本発明の一実施形態について、添付図面を参照しつつ詳説する。
図１〜図７は、本実施の形態の使い捨ておむつ、特にパンツ型おむつを示している。このパンツ型おむつ（以下、単に「おむつ」ともいう。）は、前後方向前側の前身頃Ｆ及び前後方向後側の後身頃Ｂを有し、外装体２０と、この外装体２０の内面に固定され一体化された内装体１０とが、前身頃Ｆから後身頃Ｂにかけて備えられている。なお、この構成においては、内装体１０の外面に、外装体２０が固定され一体化されているともいうことができ、この一体化により、内装体１０の前方及び後方まで外装体２０が延在している。
【００１９】
本おむつの製造に際しては、外装体２０の内面（上面、表面）に対して内装体１０の外面（下面・裏面）がホットメルト接着剤Ｇなどの接合手段によって固定された後に、内装体１０及び外装体２０が前身頃Ｆ及び後身頃Ｂの境界である縦方向（前後方向、長手方向）中央で折り畳まれ、その両側部が相互に熱溶着またはホットメルト接着剤などによって接合されることによって、ウエスト開口部及び左右一対のレッグ開口部が形成されたパンツ型おむつとなる。
【００２０】
（外装体の構造例）
外装体２０は、図４〜図６に示されるように、上層不織布２０Ａ及び下層不織布２０Ｂからなる２層構造の不織布シートとされ、上層不織布２０Ａと下層不織布２０Ｂとの間、及び下層不織布２０Ｂをウエスト開口縁で内面側に折り返してなる折り返し部２０Ｃとこの折り返し部２０Ｃを除く下層不織布２０Ｂとの間に各種外装弾性部材が配設され、伸縮性が付与されている。外装体２０の平面形状は、前後方向中央両側部にそれぞれ脚部開口を形成するために形成された凹状の脚回りカットライン２９により、全体として擬似砂時計形状をなしている。
【００２１】
特に、図示形態の外装体２０においては、外装弾性部材として、図４に示される展開形状において、ウエスト開口部回りに配置されたウエスト部弾性部材２４，２４…と、前身頃Ｆ及び後身頃Ｂに、上下方向に間隔をおいて幅方向に沿って配置された複数の腰回り弾性部材群２５，２５…とを有するとともに、前身頃Ｆ及び後身頃Ｂのそれぞれにおいて、腰回り弾性部材群２５，２５…とは別に、前身頃Ｆと後身頃Ｂとを接合する一方側接合縁から股下側に延び、股下側を迂回して前身頃Ｆと後身頃Ｂとの他方側接合縁に到達するとともに、互いに交差することなく間隔をおいて配置された複数本の湾曲弾性部材群２６…、２８…を備えている。なお、外装体２０には、脚回りカットライン２９に沿って実質的に連続する、いわゆる脚回り弾性部材は設けられていない。
【００２２】
ウエスト部弾性部材２４，２４…は、前身頃Ｆと後身頃Ｂとが接合された脇部接合縁２１、２２の範囲のうち、ウエスト開口縁近傍に上下方向に間隔をおいて配設された複数条の糸ゴム状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の弾性部材を用いてもよい。また、図示形態のウエスト部弾性部材２４，２４…は、ウエスト部における下層不織布２０Ｂの折り返し片２０Ｃとこの折り返し部２０Ｃを除く下層不織布２０Ｂとの間に挟持されているが、上層不織布２０Ａと下層不織布２０Ｂとの間に挟持しても良い。
【００２３】
腰回り弾性部材群２５，２５…は、脇部接合縁２１、２２の内、概ね上部から下部までの範囲に亘り、上下方向に間隔をおいて幅方向（水平方向）に沿って配設された糸ゴム状の弾性部材群であり、前身頃Ｆ及び後身頃Ｂの腰回り部分にそれぞれ幅方向の伸縮力を与え、おむつを身体に密着させるためのものである。なお、ウエスト部弾性部材２４、２４…と腰回り弾性部材群２５、２５…との境界は必ずしも明確でなくてよい。例えば、前身頃Ｆ及び後身頃Ｂに上下方向に間隔をおいて水平方向に配置された弾性部材のうち、数は特定できなくても、上部側の何本かがウエスト部弾性部材として機能し、残りの弾性部材が腰回り弾性部材として機能していればよい。
【００２４】
後身頃Ｂにおいて、腰回り弾性部材群２５，２５…とは別に配設された背側湾曲弾性部材群２６、２６…は、所定の（一方側の脇部接合縁２２からほぼ脚回りカットライン２９に沿って股下部に至り、股下部を横切った後に反対側の脚回りカットライン２９にほぼ沿いながら他方側の脇部接合縁２２に到達する）曲線に沿って配置された複数本、図示例では５本の糸ゴム状弾性部材であり、これら背側湾曲弾性部材群２６、２６…は互いに交差することなく、間隔をおいて配置されている。この背側湾曲弾性部材群２６、２６…は、２，３本程度の弾性部材を間隔を密にして実質的に一束として配置されるのではなく、所定の伸縮ゾーンを形成するように所定の間隔を空けて、３以上、好ましくは５本以上配置される。
【００２５】
外装体２０の前身頃Ｆにおいて、腰回り弾性部材群２５，２５…とは別に配設された腹側湾曲弾性部材群２８，２８…も、所定の（一方側の脇部接合縁２１から股下側に至り、股下部を横切った後に他方側の脇部接合縁２１に到達する）曲線に沿って配置された複数本、図示例では５本の糸ゴム状弾性部材であり、これら腹側湾曲弾性部材群２８、２８…は互いに交差することなく、間隔をおいて配置されている。この腹側湾曲弾性部材群２８、２８…も、２，３本程度の弾性部材を間隔を密にして実質的に一束として配置されるのではなく、所定の伸縮ゾーンを形成するように所定の間隔を空けて、３本以上、好ましくは５本以上配置される。
【００２６】
また、上記形態例では、図３に示すように、前身頃Ｆ及び後身頃Ｂに配置された腰回り弾性部材群２５，２５…及び湾曲弾性部材２６…、２８…は、内装体１０を横切る部分を切断し、不連続とすることができるが、内装体１０上においても連続させて配置することもできる。弾性部材を内装体１０上で不連続とすることにより、吸収体１３の縮こまりをより防止することができる。
【００２７】
上述した外装体２０は、例えば特開平４−２８３６３号公報や、特開平１１−３３２９１３号公報記載の技術により製造することができる。また、湾曲弾性部材２６…、２８…を内装体１０上で切断し不連続化するには、特開２００２−３５０２９号公報、特開２００２−１７８４２８号公報及び特開２００２‐２７３８０８号公報に記載される切断方法が好適に採用される。
【００２８】
（内装体の構造例）
内装体１０は、図５及び図６に示すように、不織布などからなる液透過性表面シート１１と、ポリエチレン等からなる液不透過性裏面側シート１２との間に、吸収体１３を介在させた構造を有しており、表面シート１１を透過した排泄液（体液）を吸収保持するものである。
【００２９】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００３０】
吸収体１３の裏面側（非肌当接面側）を覆う液不透過性裏面側シート１２は、ポリエチレンまたはポリプロピレンなどの液不透過性プラスチックシートが用いられるが、近年ではムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３１】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略砂時計形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように背側及び腹側に対して前後方向中央部（股下部）の幅が狭い砂時計形状（括れ形状）とするほか、長方形状とすることもできる。
【００３２】
内装体１０の両側部には脚回りにフィットする立体ギャザーＢＳが形成されているのが好ましい。この立体ギャザーＢＳはギャザー不織布１５により形成される。このギャザー不織布１５としては、図５に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつ１の前後方向中央部（股間部）では、立体ギャザーＢＳ形成部分を残し、幅方向中間部から吸収体１３の裏面側に亘る範囲がホットメルト接着剤Ｇ等によって接着され、また前後方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤Ｇ等により接着している。
【００３３】
二重シート不織布によって形成されたギャザー不織布１５の内部には、起立先端側部分に複数本の糸状弾性部材１６、１６…が配設されている。糸状弾性部材１６、１６…は、製品状態において図５に二点鎖線で示すように、弾性伸縮力により吸収体側縁部より突出する不織布部分を起立させて立体ギャザーＢＳを形成するためのものである。
【００３４】
液不透過性裏面側シート１２は、二重シート状のギャザー不織布１５の内部まで進入し、図６に示されるように、立体ギャザーＢＳの下端側において防漏壁を構成するようになっている。
【００３５】
この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００３６】
糸状弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性部材に代えて、ある程度の幅を有するテープ状弾性部材を用いるようにしてもよい。
【００３７】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法により得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコーン系、パラフィン金属系、アルキルクロミッククロイド系撥水剤などをコーティングした撥水処理不織布を用いるのが望ましい。
【００３８】
（ポケットの例）
本おむつは、ウエスト開口部からの漏れを防止するため、前身頃Ｆ及び後身頃Ｂの内面それぞれに、前後方向中央側に開口するポケットを有する。そして、このポケットは、前身頃Ｆ及び後身頃Ｂの少なくとも一方において、好ましくは以下で説明するように両方において、開口位置が前後方向に離間するように複数備えられ、この複数のポケットは、それぞれの開口幅が、前後方向中央から離れるに従って順に広くなる構成とされている。
【００３９】
以下、このポケットの形態例を、図１，２，８，９を参照しつつ詳説する。
本形態のポケットＰＡ，ＰＢは、開口が収容スペース（内空部）の前後方向中央側端部に位置するポケット状の構造をとり、開口位置が前後方向に離間するように複数（図示例では各２つ）備えられる。
【００４０】
これらポケットＰＡ，ＰＢのうち、１つについては外装体２０を構成する外装シートたる下層不織布２０Ｂの端部（折り返し部）２０Ｃを折り返して形成し、残りを別体のシートで形成することができる（図８（Ａ）（Ｂ）、図９（Ａ）（Ｂ））。また、全てのポケットＰＡ，ＰＢについて、別体シート５０Ａ，５０Ｂをおむつの内面に付加して形成することもできる（図８（Ｃ），図９（Ｃ））。なお、前身頃Ｆや後身頃Ｂにおいて外装体２０内面に固定される背漏れ防止シートや腹漏れ防止シートは、この別体シート５０Ａ，５０Ｂの一種である。
【００４１】
これらのポケットＰＡ，ＰＢは、ポケットを構成するシート（折り返し部２０Ｃ、別体のシート５０Ａ，５０Ｂ）の一部が外面側において固定されないことによって、具体的には、収容スペースとなる領域のウエスト側及び幅方向両側が、その内面側に位置するシートの表面に固着（固定）されつつ（図中の固着部ＳＡ，ＳＢ）、収容スペースとなる領域が固定されないことによって形成することができる。
【００４２】
この他、下層不織布２０Ｂの折り返し部２０ＣをΣ状に折り畳み、収容スペースとなる領域のウエスト側及び幅方向両側を、その内面側に位置するシートの表面に固着することにより、折り返し部２０ＣのみでポケットＰＡ，ＰＢを形成することもできる。
【００４３】
本形態において、付加される別体のシート５０Ａ，５０Ｂの幅方向の長さは、製品幅より短くしても良いが、製品幅と同じ長さとし、外装体２０と共に、その両側部が熱溶着またはホットメルト接着剤などによって接合されることが好ましい。
【００４４】
図８（Ａ）（背側は図９（Ａ））に示される例では、ウエスト開口部側に位置するポケットＰＢが折り返し部２０Ｃによって形成されており、別体シート５０Ａが折り返し部２０Ｃと上層不織布２０Ａとの間に固着部ＳＡにおいて固定され、股下側（前後方向中央側）に位置するポケットＰＡを形成している。別の例としては、図８（Ｂ）（背側は図９（Ｂ））に示すように、股下側に位置するポケットＰＡを折り返し部２０Ｃによって形成し、折り返し部２０Ｃの表面側に別体シート５０Ｂを固着部ＳＢにおいて固定する形態、図８（Ｃ）（背側は図９（Ｃ））に示すように、折り返し部２０Ｃではポケットを形成せず、折り返し部２０Ｃの表面側に別体シート５０Ａを、さらに表面側に重ねて別体シート５０Ｂを固定してポケットＰＡ，ＰＢを形成する形態等が挙げられる。
【００４５】
以上のように前身頃Ｆ及び後身頃Ｂの内面それぞれに、前後方向中央側に開口するポケットＰＡ，ＰＢが備えられていると、この両ポケットＰＡ，ＰＢのいずれかに補助パッドの前後端部を差し込むことができ、補助パッドのズレを防止することができる。しかも、この場合、両ポケットＰＡ，ＰＢのいずれかが補助パッドを覆った状態になり、ポケットＰＡ，ＰＢのいずれかが補助パッドに覆われた状態にはならないため、ポケットＰＡ，ＰＢの漏れ防止機能は失われない。また、ポケットＰＡ，ＰＢが、開口位置が前後方向に離間するように複数備えられていると、この複数のポケットＰＡ，ＰＢのいずれを選択するかによって、補助パッドの前端部を差し込むポケットＰＡ又はＰＢと補助パッドの後端部を差し込むポケットＰＡ又はＰＢとの離間距離が変わる。したがって、補助パッドが長いものであるか短いものであるかに関わらず、上記ズレ防止機能を発揮させることができる。しかも、この場合、補助パッドの前後端部と両ポケットＰＡ，ＰＢとが離間した状態にならないため、離間部において体液が幅方向に広がる（拡散する）との問題も生じない。さらに、補助パッドの幅は、通常、その長さが長くなると広くなり、その長さが短くなると狭くなる傾向にあるところ、複数のポケットＰＡ，ＰＢそれぞれの開口幅Ｘ１，Ｘ２（図２参照）が、前後方向中央から離れる（遠くなる）に従って順に広くなる構成とされていると、図示例ではポケットＰＡよりもポケットＰＢが広くなる構成とされていると、例えば、前後方向中央から離れた（遠い）ポケット（図示例ではポケットＰＢ）には、通常の長い補助パッド、つまり幅が広い補助パッドを差し込むことができる。また、この構成によると、前後方向中央から離れていない（近い）ポケット、図示例ではポケットＰＡの開口幅Ｘ１が必要以上に広くならないため、当該ポケットＰＡに通常の短い補助パッド、つまり幅が狭い補助パッドを差し込んだ場合においてもズレが防止される。なお、長い補助パッドのなかにも幅が狭い補助パッドは存在し、この場合は、前後方向中央から離れた開口幅の広いポケットに当該幅が狭い補助パッドを差し込むことになる。しかしながら、前後方向中央から離れた部位においては、この種のおむつの構造上、おむつ内面と装着者との間の間隙が小さくなるため、開口幅が広いことによるズレの問題は、相対的に小さなものとなる。また、補助パッドを積層しない場合においては、前方及び後方へ拡散する体液が、前身頃Ｆ及び後身頃Ｂの内面に備えられたポケットＰＡ，ＰＢ内に収容されるため、前後漏れ防止効果が向上する。
【００４６】
本形態において、ポケットＰＡ，ＰＢは、平面形状が幅方向に長い長方形状となっているが、これに限定する趣旨ではない。例えば、各ポケットＰＡ，ＰＢを、ウエスト側が円弧状となる形状とすることや、ウエスト側に向かって徐々に広がる形状、ウエスト側に向かって徐々に狭まる形状などとすることができる。ただし、補助パッドを差し込み、もって当該補助パッドのズレを防止するという観点からは、本形態のように方形状とするのが好ましい。
【００４７】
別体シート５０Ａ，５０Ｂとしては、撥水性と通気性を有する素材を使用することが好ましく、具体的には、ギャザー不織布１５と同様に、ポリエチレンまたはポリプロピレン等のオレフィン系、ポリエステル系、アミド系等の合成繊維、レーヨンやキュプラ等の再生繊維、綿等の天然繊維等からなり、スパンボンド法、サーマルボンド法、メルトブローン法、ニードルパンチ法等の適宜の加工方法に得られた不織布を用いることができる。また、シリコーン系、パラフィン金属系、アルキルクロミッククロイド系撥水剤などをコーティングした撥水処理不織布を用いるのが望ましい。
【００４８】
折り返し部２０ＣでポケットＰＡ，ＰＢを形成する場合においては、折り返し部２０Ｃのうち固着部ＳＡ，ＳＢ以外の自由部分については撥水処理を施すのが好ましい。
【００４９】
ポケットＰＡ，ＰＢの一方又は両方は、開口が開放可能なように閉じられていると、補助パッドに対して被さる又は遠すぎるポケットを、邪魔にならないように、また着用者に不快感を与えないように閉じておくことができる。
【００５０】
このような構造は、ポケットＰＡ，ＰＢの収容スペースの内面のうち厚み方向の対向面（装着者の身体側となる面及びその反対側の面）相互を剥離可能に接合することにより構成することができる。この剥離可能接合部は、ポケットＰＡ，ＰＢの収容スペースの全体としても良いが、少なくとも一部に設ければ良く、例えば開口の縁部にのみ設けることができる。剥離可能接合部は、周囲の固定部分より弱い接合強度で接合されている部分であり、接着剤を用いない単なる圧着により形成できる他、接着剤を用いて弱く接着することにより形成できる。接着剤を用いる場合、剥離可能接合部の接着剤の量を周囲の固着部分ＳＡ，ＳＢより少なくすることにより、剥離可能接合部を形成することができる。この場合、剥離可能接合部と周囲の固着部分とにおいて、接着剤の塗布パターンは同じで塗布量を代える他、両者の塗布パターンを異ならしめ、例えば剥離可能接合部の塗布パターンをスパイラル塗布等の間欠塗布とし、周囲の固着部分ＳＡ，ＳＢをベタ塗りとするといった手法を採用することができる。また、剥離可能接合部と対応する部分において外装体２０に固定する弾性部材２５の本数を多くして、つまり弾性部材２５の間隔を小さくすることでこまかいシャーリングを生じさせ、その皺により剥離可能接合部と接合対象当接部材との接合面積を減じる、といった手法を採用することもできる。
【００５１】
剥離可能接合部は、ポケットＰＡ，ＰＢの収容スペースの内面のうち厚み方向の対向面（装着者の身体側となる面及びその反対側の面）のいずれか一方の面にメカニカルファスナーの雄テープＭを接着剤等で固定し、この雄テープＭを他方の面に係止することにより剥離可能に接合する形態としてもよい（図１４（Ｂ））。この場合、ポケットＰＡ，ＰＢを閉じておくことによる効果はもちろん、装着する補助パッドのウエスト側端部（前後端部）をポケット内面の雄テープＭで固定し、補助パッドのズレを防止できるという効果も発揮され、漏れ防止効果をより一層のものとすることができる。
【００５２】
ポケットＰＡ，ＰＢのおむつ前後方向の長さ（ポケットの深さ）は、５〜１００ｍｍとすることが好ましく、特に１０〜５０ｍｍとすることが好ましい。最もウエスト開口部側（前後方向中央から離れた側）に位置するポケットＰＢの幅方向の長さＸ２（図２参照）は、３００〜３５０ｍｍとすることが好ましく、特に３００〜３３０ｍｍであることがより好ましい。また、前後方向中央側に位置するポケットＰＡの幅方向の長さＸ１は、２００〜３００ｍｍとすることが好ましく、２３０〜２９０ｍｍであることがより好ましい。ウエスト開口部からポケットＰＡ，ＰＢの開口縁までの距離は、それぞれ１００〜２３０ｍｍ、６０〜２００ｍｍとすることが好ましく、１３５〜２０５ｍｍ、８５〜１７０ｍｍとすることがより好ましい。
【００５３】
最も前後方向中央側に位置するポケットＰＡは、その収容スペースの前後方向中央側端部が内装体１０の吸収体１３におけるウエスト側端部（前後端部）の幅方向全体を覆うように設けられているのが好ましい。
【００５４】
複数のポケットＰＡ，ＰＢの前後方向間隔は適宜定めることができるが、ポケットＰＡ，ＰＢを前身頃Ｆ及び後身頃Ｂそれぞれに２つ設ける図示例では、ポケットＰＡ，ＰＢを構成するシート（折り返し部２０Ｃ、別体シート５０Ａ，５０Ｂ）の前後方向中央側端縁間の離間距離が、１０〜１５０ｍｍ、特に１５〜１１５ｍｍであることが望ましい。
【００５５】
前後方向中央から離れた側に位置するポケットＰＢの前後方向中央側端縁間の距離ＰＤ２（図１，２参照）は、５４０〜６００ｍｍであるのが好ましく、５５０〜５８０ｍｍであるのがより好ましい。他方、前後方向中央側に位置するポケットＰＡの前後方向中央側端縁間の距離ＰＤ１（図１，２参照）は、４２０〜５００ｍｍであるのが好ましく、４８０〜４９５ｍｍであるのがより好ましい。
【００５６】
図１０及び図１１に、ポケットの別の形態を示す。前後方向中央側に位置するポケットＰＡは、初期収容スペースとなる部分（幅方向中央部における前後方向中央側端縁からウエスト側の所定位置まで）が非接着部（剥離可能に接合しても良い）ＰＡ１とされ、この非接着部ＰＡ１の両側部及びウエスト側部の三方をそれぞれ取り囲むスペース拡大部分ＰＡ２が剥離可能に接合されている。また、図示例では、前後方向中央側から離れた側（ウエスト側）に位置するポケットＰＢも初期収容スペースとなる非接着部（剥離可能に接合しても良い）ＰＢ１と、この非接着部ＰＢ１を取り囲むスペース拡大部分ＰＢ２とを有している。これらの初期収容スペースＰＡ１，ＰＢ１及びスペース拡大部分ＰＡ２，ＰＢ２を剥離可能に接合する手法としては、前述の剥離可能接合部と同様の手法を採用することができる。
【００５７】
このようなスペース拡大部分ＰＡ２，ＰＢ２を有することにより、併用する補助パッドの寸法が、前後方向中央側に位置するポケットの初期収容スペースＰＡ１に挿入するには大きすぎるが当該ポケットＰＡよりもウエスト側に位置する次のポケットＰＢの収容スペースＰＢ１に挿入するには小さい場合や、ウエスト側に位置するポケットＰＢの初期収容スペースＰＢ１に対して若干寸法が大きい場合等、必要に応じて、所望のポケットＰＡ，ＰＢのスペース拡大部分ＰＡ２，ＰＢ２の剥離によりポケットＰＡ，ＰＢの収納部分を拡大し、補助パッドの寸法に適合させることが可能となる。複数あるポケットＰＡ，ＰＢの全てをこのようなスペース拡大部分ＰＡ２，ＰＢ２を有する構造としてもよく、また最もウエスト側に位置するポケットＰＢのみ、最も前後方向中央側に位置するポケットＰＡのみ等、一部のポケットＰＡ，ＰＢのみにスペース拡大部分ＰＡ２，ＰＢ２を設けても良い。さらに、前身頃Ｆ及び後身頃Ｂのどちらか一方に配されたポケットＰＡ，ＰＢにのみスペース拡大部分ＰＡ２，ＰＢ２を設けることもできる。
【００５８】
（補助パッド装着例）
補助パッドを積層した使い捨ておむつの例を図１２，１３に示す。
図１２に例示する補助パッド１００は小型タイプであり（例えば、長さ４５０〜５２０ｍｍ、幅１５０〜２８０ｍｍ）、主に液透過性表面シート１１１、液不透過性裏面側シート１１２及び吸収体１１３より構成される。補助パッド１００は、前身頃Ｆ及び後身頃Ｂの前後方向中央側に位置するポケットＰＡにその前後両端部が挟み込まれる（挿入される）ようにして配置される。図１４に、補助パッド１００の前端部（前身頃側端部）を挟み込んだポケットＰＡの断面を示す。
【００５９】
補助パッド１００の液透過性表面シート１１１は、不織布が使用されるのが一般的であるため、図１４（Ｂ）のようにポケットＰＡの内部に面ファスナー等の雄テープＭが配されている場合は、雄テープＭを補助パッド１００の液透過性シート１１１に係合させ、補助パッド１００のズレを防止することができる。
【００６０】
図１３に示すような大型の補助パッド２００（例えば、長さ５２０〜６５０ｍｍ、幅２８０〜３５０ｍｍ）を使用する場合は、ポケットＰＡの上を跨ぐようにして、前身頃Ｆ及び後身頃Ｂのウエスト側のポケットＰＢに、補助パッド２００の前後両端部が挟み込まれるように配置されるのが好ましい。
【００６１】
（ポケットの数を変えた例）
図１５及び図１６に、ポケットの数を増やした形態、具体的には、前後方向中央側からウエスト側に向けて順にポケットＰＡ、ポケットＰＢ、ポケットＰＣが備えられた形態を示した。なお、本形態例では、ポケットが前身頃Ｆ及び後身頃Ｂのそれぞれに３つずつ備えられている形態を示しているが、４つ、５つ又はそれ以上の複数とすることもできる。
【００６２】
本形態においても、ポケットＰＡ，ＰＢ，ＰＣの形成方法は特に限定されず、例えば、前述した下層不織布２０Ｂの折り返し部２０Ｃや別体シート５０Ａ，５０Ｂを利用して形成すること、これらのシート２０Ｃ，５０Ａ，５０ＢをΣ状に折り畳んで形成すること等ができる。以下では、このΣ状に折り畳む形態の例を、図１７を参照しながら説明する。
【００６３】
図１７の（Ａ）は、外装体２０を構成する外装シートたる下層不織布２０Ｂの折り返し部２０Ｃの一部が外面側において固定されないことによってポケットＰＡ，ＰＢ，ＰＣが形成された形態の一例を示すものである。
【００６４】
この形態においては、ウエスト側端縁（折り返し縁）から前後方向中央側に延在する折り返し部２０Ｃが、所定の位置ＰＣ５において山折りされて（外面側に折り返されて）ウエスト側に延在し、この延在部が所定の位置ＰＣ６において谷折りされて（外面側に折り返されて）前後方向中央側に延在し、この延在部ＰＣ８が所定の位置ＰＣ７に至るまで外面側において、つまり外装体２０を構成する外装シートたる上層不織布２０Ａにホットメルト接着剤Ｇ等によって固定される。これにより、所定の位置ＰＣ５を前後方向中央側端縁とする二重シート構造の前後方向中央側から最も離れたポケットＰＣが形成される。
【００６５】
また、折り返し部２０Ｃは、上記所定の位置ＰＣ７から外面側において上記上層不織布２０Ａに固定されることなく前後方向中央側へ所定の位置ＰＢ５まで延在し、この所定の位置ＰＢ５において山折りされて（外面側に折り返されて）ウエスト側に延在し、この延在部が所定の位置ＰＢ６において谷折りされて（外面側に折り返されて）前後方向中央側に延在し、この延在部ＰＢ８が所定の位置ＰＢ７に至るまで外面側において、つまり上層不織布２０Ａにホットメルト接着剤Ｇ等によって固定される。これにより、所定の位置ＰＢ５を前後方向中央側端縁とする二重シート構造の前後方向に関して中央に位置するポケットＰＢが形成される。
【００６６】
さらに、折り返し部２０Ｃは，上記所定の位置ＰＢ７から外面側において上層不織布２０Ａに固定されることなく前後方向中央側へ所定の位置ＰＡ５まで延在し、この所定の位置ＰＡ５において山折りされて（外面側に折り返されて）ウエスト側に延在し、この延在部が所定の位置ＰＡ６において谷折りされて（外面側に折り返されて）前後方向中央側に延在し、この延在部ＰＡ８が所定の位置ＰＡ７に至るまで外面側において、つまり上層不織布２０Ａにホットメルト接着剤Ｇ等によって固定される。これにより、所定の位置ＰＡ５を前後方向中央側端縁とする二重シート構造の最も前後方向中央側に位置するポケットＰＡが形成される。
【００６７】
以上のように、本形態によると折り返し部２０Ｃの折り返しを繰り返す（Σ状に折り返す）のみで複数のポケット、本形態では３つのポケットが形成されるため、極めて製造容易であり、ポケットを備えることによる製造コストの増加が抑えられる。また、本形態によると、各所定の位置ＰＡ５〜ＰＡ７、ＰＢ５〜ＰＢ７、ＰＣ５〜ＰＣ７の前後方向に関する位置を変えるのみで、各ポケットＰＡ，ＰＢ，ＰＣの大きさ（深さ）や配置位置、ポケット相互間の離間距離を変えることができる。また、各ポケットＰＡ，ＰＢ，ＰＣの開口幅は、各ポケットＰＡ，ＰＢ，ＰＣの両側方を外面側において延在部ＰＡ８，ＰＢ８，ＰＣ８に対して固定する際に、この固定幅を調節することのみによって、変えることができる。なお、このことから、開口幅とは、ポケットＰＡ，ＰＢ，ＰＣの前後方向中央側端縁における固定部間の距離ということができる。
【００６８】
一方、図１７の（Ｂ）は、外装体２０の内面に備えられる不織布等からなる背漏れ防止シートや腹漏れ防止シート等の漏れ防止シート２０Ｄの一部が外面側において固定されないことによってポケットＰＡ，ＰＢ，ＰＣが形成された形態の一例を示すものである。この形態においても、上記折り返し部２０ＣをΣ状に折り返す場合と同様に、漏れ防止シート２０Ｄを折り返すことによって、複数のポケット、図示例では３つのポケットＰＡ，ＰＢ，ＰＣが形成される。近年、前後漏れ防止性能の向上という観点から、外装体２０の内面に漏れ防止シート２０Ｄが備えられることがあるが、本形態によると、当該漏れ防止シート２０Ｄをそのまま利用することができ、製造コストの増加を抑えることができる。
【００６９】
以上の形態においては、各ポケットＰＡ，ＰＢ，ＰＣの前後方向中央側端部、つまり所定の位置ＰＡ５，ＰＢ５，ＰＣ５の二重シートの間に、ポケット弾性部材２７が幅方向に沿って伸張状態で固定されている。この形態によると、ポケット弾性部材２７の収縮力によって各ポケットＰＡ，ＰＢ，ＰＣの前後方向中央側端部を構成するシート２０Ｃ，２０Ｄが前身頃Ｆや後身頃Ｂの内面から表面側（内面側、肌面側）に立ち上がるため、体液の前後方向への漏れがより確実に防止される。
【００７０】
この点、このように各ポケットＰＡ，ＰＢ，ＰＣが立ち上がると、おむつの装着や補助パッドの積層等に際して、当該ポケットＰＡ，ＰＢ，ＰＣが邪魔になることがある。しかしながら、このような不都合は、例えば、前述した各ポケットＰＡ，ＰＢ，ＰＣの収容スペースの内面のうち厚み方向の対向面相互を剥離可能に接合する形態を採用することによって、回避することができる。
【００７１】
また、内装体１０の前方及び後方に位置するポケット、本形態では、ポケットＰＢ及びポケットＰＣにおいては、ポケットＰＣの場合を例に図１８に示すように、当該ポケットＰＣを構成するシート２０Ｃ（２０Ｄ）の外面側に、吸収補助体ＰＨが備えられていると好適である。このように吸収補助体ＰＨが備えられていると、ポケットＰＣ内に流れた（入り込んだ）体液は、当該吸収補助体ＰＨによって吸収・保持されるため、ポケットＰＣを構成する下層不織布２０Ｂや漏れ防止シート２０Ｄに吸収力がない、あるいは弱い場合であっても、ポケットＰＣ内の体液が逆戻りするおそれがない。
【００７２】
ここで、この場合のポケットＰＣを構成するシート２０Ｃ（２０Ｄ）とは、当該シート全体を意味するものではなく、実際にポケットＰＣを構成する二重シート部分のみを意味する。したがって、例えば、上層不織布２０Ａに固定された延在部ＰＣ８等は含まない。
【００７３】
また、ポケットＰＣを構成するシート２０Ｃ（２０Ｄ）の外面側には、図１８の（Ａ）に示すように、上層不織布２０Ａに固定されたポケットＰＣを構成しないシート２０Ｃ（２０Ｄ）である延在部ＰＣ８の内面側のほか、図１８の（Ｂ）に示すように、当該延在部ＰＣ８の外面側も含む。
【００７４】
ところで、前身頃Ｆ及び後身頃Ｂの内面には、ポケットＰＣの場合を例に図１９の（Ａ）に示すように、前後方向中央側からポケットＰＣ内へ体液を誘導する、特に幅方向への拡散を防止するエンボス加工や親水加工等の体液誘導加工が施されていると好適である。このような体液誘導加工が施されていると、仮に基本吸収体１３や補助吸収体１１３（図１４参照）から前方又は後方に体液が流れた場合においても、当該体液は、基本吸収体１３や補助吸収体１１３の前方又は後方に存在するポケットＰＣに誘導されるため、特に幅方向への拡散が防止されるため、体液の漏れをより確実に防止することができる。
【００７５】
また、特に体液誘導加工としてエンボス加工を採用した場合においては、ポケットＰＣの場合を例に図１９の（Ｂ）に示すように、エンボス凹部ＰＣｅ内を体液が流れ、このエンボス凹部ＰＣｅを通して体液がポケットＰＣ内に流れ込むことになる。したがって、ポケット弾性部材２７を設けていない場合や、ポケット弾性部材２７を設けているがポケットＰＣの立ち上がりが不十分な場合、あるいはポケットＰＣが剥離可能に接合されている場合等、ポケットＰＣの開口が閉じている場合においても、体液の漏れを確実に防止することができる。
【００７６】
本形態において、エンボス加工とは、単に「前身頃Ｆ及び後身頃Ｂの内面に凹凸を形成する加工」を意味し、例えば、連続しているか否か、エンボス凹部ＰＣｅの断面形状がいかなるものであるか等は、特に限定されない。また、親水加工とは、単に「前身頃Ｆ及び後身頃Ｂの内面に、例えば、非イオン性界面活性剤（例えば、エステル型、エーテル型、エステル・エーテル型等）などの親水剤を付与する加工」を意味し、付与の範囲や形状等は特に限定されない。
【００７７】
ただし、エンボス加工や親水加工等の誘導加工は、前後方向に沿って施すのが好ましく、腰回り弾性部材２５によって外装体２０の内面にプリーツが形成されている場合においては、このプリーツの凹凸に沿って（並行して）施すのがより好ましい。
【００７８】
また、おむつの製造にあたって、誘導加工をいつ施すのかは特に限定されないが、誘導加工を施した後に、ポケットを形成する手順によるのが好ましい。
【００７９】
本形態においては、ポケット弾性部材２７のほかに、図１８に示すように、外装体２０に、図示例では上層不織布２０Ａと下層不織布２０Ｂとの間に、外装弾性部材たる腰回り弾性部材２５が、フィット性の向上等を目的として備えられている。しかるに、ポケットＰＣを構成するシート２０Ｃ（２０Ｄ）の外面側に吸収補助体ＰＨが配置されている本形態においては、外装体２０に固定された腰回り弾性部材２５の収縮力とポケットＰＣを構成するシート２０Ｃ（２０Ｄ）に固定されたポケット弾性部材２７の収縮力とがつりあって、上記立ち上がり機能が抑制されてしまうおそれがある（なお、上記剥離可能接合を利用して立ち上がりを抑制するのと、意図せずに立ち上がりが抑制されてしまうのとでは技術的意義が異なる。）。そこで、本形態においては、腰回り弾性部材２５を、吸収補助体ＰＨと重なる位置において切断等して不連続とすると好適である。このように腰回り弾性部材２５を不連続としておけば、外装体２０の収縮力が低下するため、収縮力のつりあいが解消され、立ち上がり機能を確実に発揮させることができる。
【００８０】
本形態においては、このように腰回り弾性部材２５を不連続とするのではなく、ポケット弾性部材２７の収縮力を強くすることによって収縮力つりあいの解消を図ることもできる。しかしながら、吸収補助体ＰＨが縮こまってしまうのを防止するという観点からは、上記したように腰回り弾性部材２５を吸収補助体ＰＨと重なる位置において不連続とするのが好ましい。
【産業上の利用可能性】
【００８１】
本発明は、上記例のようなパンツ型おむつの他、テープ型おむつ等にも適用することができる。
【符号の説明】
【００８２】
１０…内装体、１１…液透過性表面シート、１２…液不透過性裏面側シート、１３…吸収体、１４…包装シート、１５…ギャザー不織布、１６…糸状弾性部材、２０…外装体、２０Ｃ…折り返し部、２１，２２…脇部接合縁、２４…ウエスト部弾性部材、２５…腰回り弾性部材、２６…背側湾曲弾性部材、２７…ポケット弾性部材、２８…腹側湾曲弾性部材、２９…脚回りカットライン、５０Ａ，５０Ｂ…別体シート、１００，２００…吸収パッド、１１１…液透過性表面シート、１１２…液不透過性裏面側シート、Ｆ…前身頃、Ｂ…後身頃、ＰＡ，ＰＢ，ＰＣ…ポケット、ＰＡ１，ＰＢ１…ポケット非接着部、ＰＡ２，ＰＢ２…ポケット剥離部、Ｍ…雄テープ。
【図１】
0005632178.tif 000002
【図２】
0005632178.tif 000003
【図３】
0005632178.tif 000004
【図４】
0005632178.tif 000005
【図５】
0005632178.tif 000006
【図６】
0005632178.tif 000007
【図７】
0005632178.tif 000008
【図８】
0005632178.tif 000009
【図９】
0005632178.tif 000010
【図１０】
0005632178.tif 000011
【図１１】
0005632178.tif 000012
【図１２】
0005632178.tif 000013
【図１３】
0005632178.tif 000014
【図１４】
0005632178.tif 000015
【図１５】
0005632178.tif 000016
【図１６】
0005632178.tif 000017
【図１７】
0005632178.tif 000018
【図１８】
0005632178.tif 000019
【図１９】
0005632178.tif 000020